(57)【要約】【課題】走査装置でたとえばＡ３用プリンタでＡ４のみのプリントを行っているとＡ３の走査がスムーズに行えなくなる。これを改善する。【解決手段】ある法則を持って、使用しない場合でも、最大走査幅を時々走査する方式。【選択図】        図１
2005006054.tif 000002
【特許請求の範囲】
【請求項１】
走査幅の選択可能な走査装置を持つ、印刷装置又は、画像読み取り装置に於いて、選択された走査幅以外にほぼ最大幅の走査を適宜行うことを特徴とする装置。
【請求項２】
走査幅の選択可能な走査装置を持つ、印刷装置又は、画像読み取り装置に於いて、電源ＯＮ時に最大走査幅の走査を１回又は複数回行うことを特徴とする装置。
【請求項３】
走査幅の選択可能な走査装置を持つ、印刷装置又は、画像読み取り装置に於いて、選択されていた走査幅が最大走査幅又は略最大幅で無かった場合、その仕事終了時に略最大幅の走査を１回又は複数回行うことを特徴とする装置。
【請求項４】
選択されていた走査幅が最大走査幅又は略最大幅で無かった場合、その仕事終了時に略最大幅の走査を１回又は複数回行うことを特徴とする請求項２の装置。
【請求項５】
走査幅の選択可能な走査装置を持つ、印刷装置又は、画像読み取り装置に於いて、機体内にタイマー装置を持ち、電源ＯＮ時に、前回最大走査幅の走査を行った時刻と現在時刻とを対比し一定時間の経過が認められた場合、最大走査幅の走査を１回又は複数回行うことを特徴とする装置。
【請求項６】
走査幅の選択可能な走査装置を持つ、印刷装置又は、画像読み取り装置に於いて、機体内にタイマー装置を持ち、電源ＯＦＦ時に、前回最大走査幅の走査を行った時刻と現在時刻とを対比し一定時間の経過が認められた場合、最大走査幅の走査を１回又は複数回行うことを特徴とする装置。
【請求項７】
走査幅の選択可能な走査装置を持つ、印刷装置又は、画像読み取り装置に於いて、走査幅が最大走査幅又は略最大幅で無かった場合の走査回数をカウントし、その回数が一定回数に達したとき最大幅走査を行うことを特徴とする装置。
【発明の詳細な説明】
【０００１】
【発明の属する技術分野】
主走査、副走査を行い、画像又は文字等を印刷する印刷装置、又は、画像又は文字等を読み取る画像読み取り装置の主走査の走査方法に関するのものである。
【０００２】
また印刷ヘッド、読み取りヘッドが物理的に移動走査するものに関かするものである。
【０００３】
【従来の技術】
主走査、副走査を行うことで画像又は文字等を印刷する印刷装置、あるいは主走査、副走査を行うことで画像又は文字等を読み取る画像読み取り装置が提案されている。このような印刷装置では、一般に、サイズの異なる記録媒体に印刷を行なうことができ、また、画像読み取り装置では、一般に、サイズの異なる記録媒体の読み取りを行なうことができる。例えば、Ａ４サイズとＡ３サイズの記録媒体に対する印刷あるいは読み取りが可能なように構成されている（例えば、特許文献１）。
【０００４】
【特許文献１】
特開平１０−０４４３９１号公報
【０００５】
【発明が解決しようとする課題】
このような印刷装置あるいは画像読み取り装置では、一般に、用紙幅に合わせた走査範囲を走査するため、頻繁に走査する部分と、頻繁に走査しない部分が生じる。例えば、Ａ３サイズとＡ４サイズの記録媒体に印刷できる印刷装置であれば、Ａ４サイズの記録の際に走査する部分が「頻繁に走査する部分」に相当し、Ａ３サイズの記録の際に走査する部分のうち、Ａ４サイズの記録の際に走査する部分を除いた部分（つまり、Ａ３サイズの記録の際にのみ走査する部分）が「頻繁に走査しない部分」に相当する。頻繁に走査する範囲とそうでない範囲では、摩耗量が異りガイド部分に段差が出来て最大の用紙幅の滑らかな走査が行えない場合があった。又走査のためのガイド部材には、一般的に潤滑油等が使われているが、頻繁に走査しない、最大用紙幅においては、潤滑が出来ないばかりか、埃などが蓄積され、円滑な走査が行えない場合があった。
【０００６】
【課題を解決するための手段】
本発明は、
１）最大用紙幅でない走査を行っている場合でも最大の走査幅の走査を適宜行う。
【０００７】
２）電源ＯＮ時に最大走査幅の走査を１回又は複数回行う。
【０００８】
３）最大用紙幅でない用紙の走査終了時に最大幅の走査を１回又は複数回行う。
【０００９】
４）電源ＯＮ時に最大走査幅の走査を１回又は複数回行い勝つ、最大用紙幅でない用紙の走査終了時に最大幅の走査を１回又は複数回行う。
【００１０】
５）機体内にタイマー装置を持ち、電源ＯＮ時に、前回最大走査幅の走査を行った時刻と現在時刻とを対比し一定時間の経過が認められた場合、最大走査幅の走査を１回又は複数回行う。
【００１１】
６）機体内にタイマー装置を持ち、電源ＯＦＦ時に、前回最大走査幅の走査を行った時刻と現在時刻とを対比し一定時間の経過が認められた場合、最大走査幅の走査を１回又は複数回行う。
【００１２】
７）走査幅が最大走査幅又は略最大幅で無かった場合の走査回数をカウントし、その回数が一定回数に達したとき最大幅走査を行う。
【００１３】
【発明の実施の形態】
以下に、本発明の実施の形態を、複数の実施例に基づき、図面を参照して詳細に説明する。
【００１４】
（実施例１）
図１でプリンタの例を説明する。
【００１５】
１０１は、電源ＯＮ  １０２で主走査最大幅を行い１０３でプリント行為を行う、プリント行為が終了して１０４で終わる。
【００１６】
（実施例２）
図２でプリンタの例を説明する。
【００１７】
２０１はスタート２０２で主走査最大幅が命令されているかチェックＹｅｓの場合は２０３のプリントにゆき２０６で終了。もし２０２で主走査が最大幅でない場合プリント終了後主走査最大幅を実行し２０６で終了。
【００１８】
（実施例３）
図３でプリンタの例を説明する。
【００１９】
３０１はスタート３０２で条件分岐。今まで主走査幅が最大幅でなかったときの走査本数をＬとする。Ｔは設定値たとえば１０００とする。
【００２０】
Ｌが以下である場合３０５で走査本数をインクリメントし３０６で１ライン走査を行う。
【００２１】
一方ＬがＴの設定値を越えた場合は３０２の条件分岐がＮＯなり主走査最大幅を行い３０４でＬを０にリセットする。その後３０６でプリント１ライン行う。プリントが終了し得なければ３０１のスタートの下に戻りループする。
【００２２】
３０８でプリント終了。
【００２３】
Ｌは電源を切っても不揮発性メモリーで保持される。
【００２４】
従って、一定ライン数（Ｔ）ごとに最大走査幅の走査を行うようになる。
【００２５】
（実施例４）
図４でプリンタを例に説明する。
【００２６】
実施例４は、実施例３に４０１、４０２の分岐を加えた物でプリント１ラインが最大走査幅又は、略最大走査幅の場合に０リセットを４０２で行うことで、不必要に最大幅走査を行わないようにした例である。
【００２７】
（実施例５）
図５でプリンタを例に説明する。
【００２８】
５０１でスタート５０２で現在の時刻Ｔ１を取り込む。
【００２９】
５０３で依然最大幅走査を行った時刻Ｔ０との差Ｙを算出する。
【００３０】
５０４で５０３で算出した時間差Ｙと設定値Ｘを比較し設定値に未だＹの値が達していない場合は５０７でプリントを行い５０８で終了する。
【００３１】
また、５０４で設定値にＹの値が達していた場合は、５０５で最大幅の主走査を行い５０６でＴ０の値を現在のＴ１の値に書き換える。
【００３２】
従って、上記のようなフローを実施することにより一定時間経過すると必ず最大幅走査を行うことにより、常に操作部のクリーニング、確認等が行われ最大幅の走査が常に可能に保持できる。
【００３３】
（実施例６）
不図示実施例、１から５の実施例では、スキャン幅を検出してきたが使用紙サイズでこの走査幅を最大スキャン幅を最大紙サイズと置き換えても良い。また、ライン数は、プリント枚数に置き換えても良い。
【００３４】
【発明の効果】
本発明は、前記説明したように最大幅の走査が常に好条件で行えるように一定の法則を持って最大幅の走査をする必要がない場合にも最大幅の走査を行うようにしたことである。
【図面の簡単な説明】
【図１】本発明のフローチャート
【図２】本発明のフローチャート
【図３】本発明のフローチャート
【図４】本発明のフローチャート
【図５】本発明のフローチャート
【図１】
2005006054.tif 000003
【図２】
2005006054.tif 000004
【図３】
2005006054.tif 000005
【図４】
2005006054.tif 000006
【図５】
2005006054.tif 000007